(57)【要約】【課題】ふとん篭を収容するための篭収容部を有するふとん篭用防護装置を、従来のものに比べて軽量化すると共に、石材充填後のふとん篭を前記篭収容部から円滑に取り出すことができるように構成する。【解決手段】角形のふとん篭４０を収容するための矩形の篭収容部２を有し、該篭収容部２は、縦向きに設置された複数の支柱３，４により区画、形成され、少なくとも一部の支柱の該篭収容部２に面する内面に、石材充填後のふとん篭４０を持ち上げて前記篭収容部２から取り出す際の該ふとん篭４０と前記支柱３，４との間の摩擦を低減させる摩擦低減部材７が取り付けられている。【選択図】図１
2019027085.tif 000002
【特許請求の範囲】
【請求項１】
前後の側網と左右の側網と底網と蓋網とからなる角形のふとん篭を収容するための矩形の篭収容部を有し、該篭収容部は、縦向きに設置された複数の支柱により区画、形成され、少なくとも一部の支柱の該篭収容部に面する内面に、石材充填後のふとん篭を持ち上げて前記篭収容部から取り出す際の該ふとん篭と前記支柱との間の摩擦を低減させる摩擦低減部材が取り付けられていることを特徴とするふとん篭用防護装置。
【請求項２】
前記摩擦低減部材はシート状をしていて、柔軟性を有することを特徴とする請求項１に記載の防護装置。
【請求項３】
前記摩擦低減部材は、繊維又は糸で形成された布からなることを特徴とする請求項２に記載の防護装置。
【請求項４】
前記摩擦低減部材は、筒状の部材を扁平化することにより形成されていることを特徴とする請求項２又は３に記載の防護装置。
【請求項５】
前記摩擦低減部材の上端部は前記支柱に固定され、該摩擦低減部材の下端部は前記支柱に対して非固定であることを特徴とする請求項２から４の何れかに記載の防護装置。
【請求項６】
前記支柱の内面に、平板状のサポート部材が取り付けられ、このサポート部材を介して前記摩擦低減部材が前記支柱に取り付けられていることを特徴とする請求項１から５の何れかに記載の防護装置。
【請求項７】
前記篭収容部は長辺と短辺とを有し、前記長辺に沿って設置された長辺部支柱の上端部に篭支持バーが架け渡され、前記ふとん篭の蓋網を開放して外側に倒した際に、該蓋網と側網との連結部分を前記篭支持バーで下から支持するように構成されたことを特徴とする請求項１から６の何れかに記載の防護装置。
【請求項８】
前記長辺部支柱の前記篭収容部に背向する外面には、該長辺部支柱の上端部から中間部にかけて、斜め上向きの傾斜面が形成されていることを特徴とする請求項７に記載の防護装置。
【発明の詳細な説明】
【技術分野】
【０００１】
本発明は、角形のふとん篭の内部に石材を充填するとき、該ふとん篭を収容してその変形を防止するふとん篭用防護装置に関するものである。
【背景技術】
【０００２】
護岸工事や道路工事等の各種工事に使用されるふとん篭（角形蛇篭）は、菱形金網によって四角い箱形に形成され、その内部に栗石や砕石等の石材を充填した状態で現場に設置される。近年では、工事の迅速化を図るため、特許文献１に開示されているように、ふとん篭の内部に前記石材を充填する作業を設置現場とは別の場所で行い、石詰めされたふとん篭を設置現場に運搬して設置するようにしている。
【０００３】
前記ふとん篭に対する石材の充填作業は、パワーショベル等の重機を使用して行われるが、その際ふとん篭には非常に大きな衝撃力が作用するため、該ふとん篭の変形を防止して充填作業を安定的に行うことができるように、該ふとん篭を収容してその変形を防止するための防護装置（型枠手段）が使用されている。
【０００４】
前記特許文献１に開示された型枠手段は、ふとん篭を収容する部分である固定部（篭収容部）と、該固定部に開閉自在に連結された開閉部とを有している。前記固定部は、鉄板製の三つの側壁で三面を囲まれることにより上面と前側面とが開放する箱形をしており、前記開閉部は、石材を投入するための開口を有する矩形枠状の上蓋と、前記固定部の開放する前側面を塞ぐための鉄板製の側壁とを有している。
【０００５】
前記型枠手段を用いてふとん篭に石材を充填するときは、前記開閉部を開放位置に移動させた状態で前記固定部の中に前記ふとん篭を収容して、前記開閉部を閉じ、前記上蓋の開口を通じて前記ふとん篭の内部に石材を投入する。石材の充填が完了すると、前記開閉部を開放して、前記ふとん篭をリフタ手段で吊り上げることにより前記固定部から取り出し、所定の場所に移送する。
【０００６】
ところが、前記特許文献１に開示された型枠手段は、前記固定部の三つの側壁と、前記開閉部に設けられた側壁とが、重量の大きい鉄板で形成されているため、全体の重量が非常に大きく、石材充填現場への運搬に多大な手間と経費がかかるという問題があった。しかも、前記開閉部の開閉をパワーショベルやクレーンといった重機を使用して行わなければならないため、作業性が悪く、作業に危険性を伴うという問題もあった。
【０００７】
前記側壁を形成する鉄板をなくせば型枠手段の重量を軽くすることができる。しかし、前記鉄板は、石材充填後のふとん篭を前記固定部から取り出す際のガイドの役目を果たすものであるため、この鉄板がなくなると、ふとん篭の取り出しに支障を来すことが考えられる。このため、前記鉄板がなくてもふとん篭の取り出しを支障なく行うことができるようにする必要がある。
【先行技術文献】
【特許文献】
【０００８】
【特許文献１】特開２００２−９７６１６号公報
【発明の概要】
【発明が解決しようとする課題】
【０００９】
本発明の技術的課題は、ふとん篭を収容するための篭収容部を有するふとん篭用防護装置を、従来のものに比べて軽量化すると共に、石材充填後のふとん篭を前記篭収容部から円滑に取り出すことができるように構成することにある。
【課題を解決するための手段】
【００１０】
前記課題を解決するため、本発明によれば、底網と前後及び左右の側網とを有する角形のふとん篭の内部に石材を充填するとき、該ふとん篭を収容して変形を防止するためのふとん篭用防護装置が提供される。
前記防護装置は、前後の側網と左右の側網と底網と蓋網とからなる角形のふとん篭を収容するための矩形の篭収容部を有し、該篭収容部は、縦向きに設置された複数の支柱により区画、形成され、少なくとも一部の支柱の該篭収容部に面する内面に、石材充填後のふとん篭を持ち上げて前記篭収容部から取り出す際の該ふとん篭と前記支柱との間の摩擦を低減させる摩擦低減部材が取り付けられていることを特徴とする。
【００１１】
本発明において、前記摩擦低減部材はシート状をしていて、柔軟性を有している。その際、前記摩擦低減部材は、繊維又は糸で形成された布からなっているのが好ましく、或いは、前記摩擦低減部材は、筒状の部材を扁平化することにより形成されていることが好ましい。
【００１２】
また、本発明においては、前記摩擦低減部材の上端部は前記支柱に固定され、該摩擦低減部材の下端部は前記支柱に対して非固定であることが好ましい。
【００１３】
さらに、本発明においては、前記支柱の内面に、緩衝性を有する平板状のサポート部材が取り付けられ、このサポート部材を介して前記摩擦低減部材が前記支柱に取り付けられているのが好ましい。
【００１４】
また、前記篭収容部は長辺と短辺とを有し、前記長辺に沿って設置された長辺部支柱の上端部に篭支持バーが架け渡され、前記ふとん篭の蓋網を開放して外側に倒した際に、該蓋網と側網との連結部分を前記篭支持バーで下から支持するように構成されていてもよく、その際、前記長辺部支柱の前記篭収容部に背向する外面には、該長辺部支柱の上端部から中間部にかけて、斜め上向きの傾斜面が形成されているのが、より好ましい。
【発明の効果】
【００１５】
本発明の防護装置は、篭収容部を複数の支柱で区画、形成することによって鉄板製の側壁をなくしたので、従来の防護装置と比べて非常に軽量であり、また、前記支柱の内面に摩擦低減部材を取り付けたことにより、石材充填後のふとん篭を吊り上げて篭収容部から取り出す際に、該ふとん篭と前記支柱との間の摩擦抵抗が小さくなり、このため、防護装置からのふとん篭の取り出しを円滑に行うことができる。
【図面の簡単な説明】
【００１６】
【図１】本発明に係るふとん篭用防護装置の第１実施形態を示す斜視図である。
【図２】前記防護装置の平面図である。
【図３】前記防護装置の正面図である。
【図４】前記防護装置の側面図である。
【図５】前記防護装置にふとん篭を収容した状態を示す側面図である。
【図６】長辺部支柱の上端部を示す部分拡大図である。
【図７】摩擦低減部材を示す概略斜視図である。
【図８】前記防護装置にふとん篭を収容して石材を充填した状態を示す概略側面図である。
【図９】図８の状態からふとん篭を吊り上げる途中の状態を示す概略側面図である。
【図１０】ふとん篭を示す斜視図である。
【図１１】本発明に係るふとん篭用防護装置の第２実施形態を示す斜視図である。
【発明を実施するための形態】
【００１７】
図１−図９は本発明に係るふとん篭用防護装置の第１実施形態を示すもので、図１及び図２に示すように、この防護装置１Ａは、ふとん篭４０を収容するための平面視矩形の篭収容部２を有している。
【００１８】
先ず、前記ふとん篭４０について説明すると、該ふとん篭４０は、図１０に示すように、底網４１と、該底網４１の前後に配置された前側網４２ａ及び後側網４２ｂと、前記底網４１の左右に配置された左側網４３ａ及び右側網４３ｂと、２つの蓋網４４ａ，４４ｂとを、相互に連結することにより形成されたもので、前後の側網４２ａ，４２ｂの長さが左右の側網４３ａ，４３ｂの長さより長い直方体状をしている。また、２つの蓋網４４ａ，４４ｂは、片方の蓋網４４ａが前側網４２ａの上端の枠線４６に連結され、もう片方の蓋網４４ｂが後側網４２ｂの上端の枠線４６に連結されており、これら前後の側網４２ａ，４２ｂの枠線を回転中心として、観音開き式に開閉するように構成されている。
【００１９】
前記底網４１と、前側網４２ａ及び後側網４２ｂと、左側網４３ａ及び右側網４３ｂとは、各々を個別に形成して相互に連結しても良いが、底網４１と前側網４２ａ及び後側網４２ｂとにおける列線４５の向きが互いに同じ向きである場合には、それらを一つの菱形金網によって一体に形成し、前記左側網４３ａと右側網４３ｂとを別体に形成することもできる。
【００２０】
また、隣接する側網同士及び蓋網４４ａ，４４ｂの連結は、各側網及び蓋網４４ａ，４４ｂの枠線４６の互いに対応する辺同士を、スクリューストッパ等の連結金具４７を巻き付けて結束することにより行われている。また、開放状態にある蓋網４４ａ，４４ｂを閉鎖する場合には、該蓋網４４ａ，４４ｂを閉じた際に、蓋網４４ａ，４４ｂの相互に隣接する辺同士を連結金具４７で連結すると共に、該蓋網４４ａ，４４ｂと左右の側網４３ａ，４３ｂとの互いに対応する辺同士を前記連結金具４７で連結することで行われる。図中の符号４８は、各側網の中間位置に設けた補強線である。
なお、前記菱形金網は、針金を扁平螺旋状に折曲して形成した前記列線４５の折曲部４５ａを、順次係止させることにより形成されたものである。
【００２１】
続いて、前記防護装置１Ａについて説明する。
図１−図４に示すように、この防護装置１Ａの篭収容部２は、縦向きに設置された複数の支柱３，４により区画、形成されている。この篭収容部２は、長辺と短辺とを有する左右方向に長い長方形状を成していて、この篭収容部２内にふとん篭４０を収容すると、該ふとん篭４０の前後の側網４２ａ，４２ｂが、篭収容部２の前記長辺に沿った面である前後の側面２ａ，２ｂと向き合うと共に、該ふとん篭４０の左右の側網４３ａ，４３ｂが、篭収容部２の前記短辺に沿った面である左右の側面２ｃ，２ｄと向き合うようになっている。
【００２２】
前記支柱３，４のうち、篭収容部２の長辺方向（長手方向）に並ぶ支柱３を長辺部支柱とし、短辺方向（短手方向）に並ぶ支柱４を短辺部支柱とすると、前記長辺部支柱３は、長辺方向に一定間隔をおいて５本立設され、前記短辺部支柱４は、短辺方向に一定間隔をおいて３本立設されている。前記長辺部支柱３は、断面Ｈ形をしたＨ形鋼により形成され、前記短辺部支柱４は、角形の中空断面を有する鋼管により形成されている。また、長辺部支柱３の上下方向長さは、短辺部支柱４の上下方向長さよりも長いが、両支柱３，４の上端位置即ち高さは揃えられている。
【００２３】
また、図４に示すように、篭収容部２の前面２ａと後面２ｂとの相対する位置に配置された一対の長辺部支柱３，３は、鉄鋼製のベースフレーム６で互いに連結されている。このベースフレーム６は、断面略Ｈ形をしたＨ形鋼からなるもので、前記長辺部支柱３，３の下端部寄りの位置で該長辺部支柱３，３の内側面に、溶接等の固着手段により一体に固着されており、これら一対の長辺部支柱３，３とベースフレーム６とによって支柱連結体１２が形成されている。図示の例では、５組の支柱連結体１２が形成されていることになる。
【００２４】
前記支柱３，４は、上部支持フレーム３０と下部支持フレーム３１とによって支持されている。このうち上部支持フレーム３０は、篭収容部２の前後の側面２ａ，２ｂの各々において隣接する支柱３，３同士を連結する複数の第１フレーム部材３０ａと、篭収容部２の左右の側面２ｃ，２ｄの各々において全ての支柱４をまとめて連結するコ字形の第２フレーム部材３０ｂとによって形成されている。前記第１フレーム部材３０ａは、前記支柱３の前面より後退した位置で隣接する支柱３，３の側面間に配置され、端部を該支柱３，３の側面にボルト６０で着脱自在に連結されており、前記第２フレーム部材３０ｂは、前記支柱４の外面に当接するように配置され、両端に前記第１フレーム部材３０ａと一直線をなすように突出する連結部３０ｃを有し、該連結部３０ｃが、前記側面２ａ，２ｂの端部に位置する支柱３の側面にボルト６１で着脱自在に連結されている。前記第１フレーム部材３０ａ及び第２フレーム部材３０ｂは、断面Ｌ字状を成すＬ形鋼で形成されたものである。
【００２５】
一方、前記下部支持フレーム３１も、前記上部支持フレーム３０と同様に、篭収容部２の前後の側面２ａ，２ｂの各々において隣接する支柱３，３同士を連結する複数の第１フレーム部材３１ａと、篭収容部２の左右の側面２ｃ，２ｄの各々において全ての支柱４をまとめて連結するコ字形の第２フレーム部材３１ｂとによって形成され、該第２フレーム部材３１ｂの連結部３１ｃが、前記側面２ａ，２ｂの端部に位置する支柱３の側面にボルト６１で着脱自在に連結されている。
【００２６】
また、前記下部支持フレーム３１は、高さを複数段に調整することができる。これは、該下部支持フレーム３１が篭収容部２の底壁部２０を支持していて、該下部支持フレーム３１の高さを調整することによって前記底壁部２０の高さを調整可能とするためである。このため、前記支柱３，４には、複数（図では３つ）の高さ調整孔１９が穿設され、選択した高さ調整孔１９に応じて下部支持フレーム３１の高さを調整することにより、前記底壁部２０の高さが調整されるように構成されている。図示の例では、最下段の高さ調整孔１９に下部支持フレーム３１がボルト６０，６１で固定されていて、該下部支持フレーム３１の第２フレーム部材３１ｂに、前記底壁部２０の連結材２２が、前記ボルト６１で共締めにより連結されている。
【００２７】
前記支柱３の下端部内側には、篭収容部２の長手方向に延びるＬ形鋼から成る脚部フレーム３７が取り付けられ、この脚部フレーム３７によって前記支柱３が相互に連結されている。この脚部フレーム３７は、一連の部材であっても良いが、図示した例では、隣接する支柱間毎に分割された分割片３７ａにより構成され、各分割片３７ａが、隣接する支柱３，３間に配設されて該支柱にボルト６２及びナット６３により固定されている。
【００２８】
また、前記篭収容部２の支柱３の上端部には、篭支持バー９が架け渡され、図５に示すように、該篭収容部２内に収容した前記ふとん篭４０の蓋網４４ａ，４４ｂを開放して外側に倒した際に、該蓋網４４ａ，４４ｂと前後の側網４２ａ，４２ｂとの連結部分を鋼鉄製の篭支持バー９で下から支持するように構成されている。この篭支持バー９は、図１及び図６に示すように、矩形断面を有する平板状を成すもので、その断面の長手方向を縦向きにした姿勢で、全ての支柱３に跨るように架け渡され、ボルト１６及びナット１７によって、後述する摩擦低減部材７と一緒に前記支柱３に固定されている。
【００２９】
前記篭支持バー９の上端には丸棒状の鉄筋１０が溶接され、この鉄筋１０が前記連結部分に当接するようになっている。このような鉄筋１０を設けたのは、前記篭支持バー９の角張った上端部分が前記連結部分に直接接触することによって該連結部分が損傷されるのを防止するためである。従って、該鉄筋１０は前記篭支持バー９の一部をなすものである。なお、このように篭支持バー９に鉄筋１０を取り付けることなく、前記篭支持バー９の上端面を、Ｒ加工を施すことによって曲面に形成してもよい。
【００３０】
前記支柱３，４の前記篭収容部２に臨む内面には、平板状をしたサポート部材１１が螺子１１ａで固定されている。このサポート部材１１は、合成樹脂からなる細長い部材であって、滑り易い表面を有し、耐衝撃性及び耐摩耗性にも優れた部材である。このような性質を有する合成樹脂素材としては、例えば、超高分子ポリエチレンを挙げることができる。
上記螺子１１ａは、皿螺子であり、該皿螺子の螺子頭が前記サポート部材１１の外部に突出しないようにするため、該サポート部材１１には、該螺子頭が嵌合する座繰り孔が設けられている。
【００３１】
また、図４−図６に示すように、前記支柱３の前記篭収容部２に背向する外面には、該支柱３の上端部から中間部にかけて、斜め上向きの傾斜面３ｂが形成されている。それにより、前述したようにふとん篭４０を前記篭収容部２に収容し、その蓋網４４ａ，４４ｂを外側に倒伏した際に、図５の左半に示すように、該蓋網４４ａ，４４ｂが前記傾斜面３ａに沿って、ふとん篭４０の前後の側網４２ａ，４２ｂから離れた傾斜姿勢を取り得るように構成されている。
【００３２】
さらに、前記支柱３には、前記傾斜面３ａよりも下側の位置に、前記蓋網４４ａ，４４ｂの網目に係止可能な係止フック３４が設けられている。
前記係止フック３４は、針金等の細長い線条を屈曲させて鉤部を形成したもので、前記支柱３に取り付けられたフック軸受部３５に支持されている。そして、前記ふとん篭４０を篭収容部２に収容して２つの蓋網４４ａ，４４ｂを外側に倒した際に、前記傾斜部３ａの傾斜面に沿って傾斜する該蓋網４４ａ，４４ｂの先端部近くの網目に前記係止フック３４の鉤部を掛けることにより、該蓋網４４ａ，４４ｂは、図５の右半に示すように、前記支柱３の外面に沿った状態に弾力的に保持される。
【００３３】
これにより、前記ふとん篭４０へ石材を充填する際に、前記蓋網４４ａ，４４ｂが作業の邪魔にならない位置に保持されると同時に、該蓋網４４ａ，４４ｂと前記側網４２ａ，４２ｂとの連結部分が前記篭支持バー９に弾力的に押し付けられることによって該篭支持バー９に下から支持されるため、前記側網４２ａ，４２ｂが内側に撓んだり、石材が衝突する際の衝撃によって前記側網４２ａ，４２ｂが座屈するのが防止される。
石材充填後に前記係止フック３４を蓋網４４ａ，４４ｂから外せば、該蓋網４４ａ，４４ｂは、図５の左半に示すように前記傾斜面３ａに沿って傾斜する姿勢を取るので、その閉鎖作業を容易に行うことができる。
【００３４】
図１及び図２に示すように、前記篭収容部２は、収容したふとん篭４０を載置するための前記底壁部２０を有している。該底壁部２０は、篭収容部２の長手方向に細長く延びる溝形鋼からなる複数の床材２１と、該複数の床材２１を長手方向の一端側及び他端側においてそれぞれ一体に連結する前記連結材２２，２２とによって構成されている。前記床材２１は、相互間に小径の石材片が抜け落ちる程度の隙間をおいて篭収容部２の短手方向に並設されていて、各床材２１の一端及び他端が、前記連結材２２にそれぞれボルト２３で連結され、該連結材２２は、前述したように、前記下部支持フレーム３１の第２フレーム部材３１ｂに、前記ボルト６１で固定されている。そして、該下部支持フレーム３１の高さを複数段の高さ調整孔１９によって調整することにより、前記底壁部２０の高さを調整することができるように構成されている。
【００３５】
前記床材２１の上面には、前記支柱３の内面に取り付けたサポート部材１１と同様のサポート部材１１が、螺子６４で取り付けられている。
また、図１、図２及び図４に示すように前記底壁部２０が最下段にあるとき、前記床材２１の中間部は、該底壁部２０を短手方向に横断する前記複数の前記ベースフレーム６上に当接することによって該ベースフレーム６で下から支持されている。前記底壁部２０の高さを高く調整すると、前記床材２１は前記ベースフレーム６から離れるため、該ベースフレーム６によって中間部を支持されなくなるが、この場合は、ふとん篭４０の深さが小さくなって石材の充填量も減少し、石材充填後のふとん篭４０の重量も減少するため、前記床材２１の中間部が支持されていなくても特に問題はない。
【００３６】
さらに、前記支柱３，４の篭収容部２に面する内面には、石材充填後のふとん篭４０を持ち上げて前記篭収容部２から取りだす際の該ふとん篭４０と支柱３，４との間の摩擦を低減させるための摩擦低減部材７が、前記サポート部材１１を覆うように取り付けられている。この摩擦低減部材７は、柔軟性のあるシート状をした部材によって形成されたもので、各支柱３，４に、その上端から底壁部２０を構成する前記床材２１の位置まで延在するように取り付けられている。
【００３７】
前記摩擦低減部材７は、滑り易く且つ耐久性に勝れた素材であればどのような素材で形成されていても良いが、本実施形態においては、繊維又は糸で形成された布によって形成されている。より具体的には、ポリエステル等の合成樹脂製繊維からなる縦糸と横糸とで織った布部材により形成されており好ましくは、筒状の布部材を扁平に折り畳んだものによって形成されている。この布部材の内面には、ゴム又は合成樹脂による内張りが施されていても良い。このような布部材として好適なものは、図７に示すような消防用のホースである。
【００３８】
また、図１及び図４−図６に示すように、前記摩擦低減部材７の上端部は、前記支柱３，４の上端部に固定され、該摩擦低減部材７の下端部は、当該支柱３，４に対して非固定とされている。この点についてより具体的に説明する。先ず、前記支柱３に対して摩擦低減部材７は次のように取り付けられている。即ち、前記摩擦低減部材７の上端部は、前記支柱３の上端部にあるフランジ３ａと、該フランジ３ａの背面に面接合された前記篭支持バー９とを覆うようにして該支柱３の背面側に回され、該背面側に回された部分をボルト１６及びナット１７の締結により前記フランジ３ａに固定することにより、前記支柱３の上端部に固定されている。一方、支柱４に対する摩擦低減部材７の取り付けは、該摩擦低減部材７の上端部を前記支柱４の上端部を跨ぐようにして該支柱４の背面側に回し、該背面側に回した部分をピン１８で前記支柱４に固定している。
なお、前記摩擦低減部材７は、全ての支柱３，４に取り付けられているが、該支柱３，４の数やふとん篭４０の大きさ等によっては、一部の支柱３，４だけに取り付けることもできる。
【００３９】
前記防護装置１Ａは、石材充填現場に安定的に設置するため、鉄板５０の上に載置することが望ましく、これにより、ふとん篭４０に石材が充填されて重量が増加した場合でも、地面への沈み込みや傾斜等を防止することができる。また、この鉄板５０と前記防護装置１Ａとは、図示しないフック等の連結手段で相互に連結することができ、この場合には、該鉄板を錘として兼用することにより、石材充填後のふとん篭４０を防護装置１Ａから吊り上げる際に、軽量化された該防護装置１Ａがずれ動くのを防止することができる。
【００４０】
前記構成を有する防護装置１Ａを使用してふとん篭４０に石材を充填する作業は、次のようにして行われる。
先ず、空のふとん篭４０を用意して、該ふとん篭４０を、図５に示すように、前後の側網４２ａ，４２ｂが篭収容部２の前後の側面２ａ，２ｂと向き合うと共に、左右の側網４３ａ，４３ｂが左右の側面２ｃ，２ｄと向き合うように該篭収容部２内に収容し、該ふとん篭４０が底壁部２０上に載った後、前後の側網４２ａ，４２ｂに連結された２つの蓋網４４ａ，４４ｂを開く。そして、図５の右半部に示すように、前記蓋網４４ａ，４４ｂを、支柱３，３の外面に沿って下方に引き下げ、該蓋網４４ａ，４４ｂの先端部の網目に係止フック３４を掛けて該蓋網４４，４４ｂをその状態に保持させる。それから、パワーショベル等の重機を用いてふとん篭４０内に石材を投石する。
【００４１】
このとき、前記ふとん篭４０の前記蓋網４４ａ，４４ｂと側網４２ａ，４２ｂとの連結部分は、前記篭支持バー９によって下から支持されているため、前記側網４２ａ，４２ｂが内側に撓まないだけでなく、石材が衝突した際の衝撃によって前記側網４２ａ，４２ｂが座屈するのが防止される。
【００４２】
石材の充填が完了すると、前記蓋網４４ａ，４４ｂに係止している前記係止フック３４を外し、図８に示すように、該蓋網４４ａ，４４ｂを回動させて閉じたあと、該蓋網４４ａ，４４ｂの相対する枠線同士、及び、該蓋網４４ａ，４４ｂと左右の側網４３ａ，４３ｂとの相対する枠線４６同士を前記連結金具４７で連結する。
【００４３】
続いて、図９に示すように、リフタやパワーショベル等の吊り上げ装置５１を用いて前記ふとん篭４０を吊り上げることにより、前記篭収容部２内から取り出す。このとき、前記ふとん篭４０は、各支柱３，４にガイドされて上昇していくが、各支柱３，４の内面に摩擦低減部材７が取り付けられることによって該支柱３，４とふとん篭４０との間の摩擦は低減されているため、該ふとん篭４０は円滑に引き上げられることになる。その際、前記摩擦低減部材７は、ふとん篭４０と支柱３，４の当接力の大きさに応じて、図９の左半部に示す摩擦低減部材７のように、ふとん篭４０の上昇と共に上方に大きく滑り動き、鎖線で示すように篭収容部２の外部に完全に引き出されるものもあれば、図９の右半部に示す摩擦低減部材７のように、支柱３，４の内面に沿ったまま殆ど滑り動かないか、あるいは少しだけ滑り動くものもある。
【００４４】
前記防護装置１Ａから取り出されたふとん篭４０は、保管場所や、トラック等の車両の荷台に移送される。
【００４５】
このように、本発明の防護装置１Ａは、前記篭収容部２を複数の支柱３，４で区画、形成することにより、鉄板製の側壁や開閉する蓋枠をなくしたので、従来の防護装置と比べて構造が簡単であると共に非常に軽量であり、このため、石材充填現場への運搬や石材充填時の取り扱いが容易で、安全性にも勝れる。
また、前記支柱３，４の内面に摩擦低減部材７を取り付けたことにより、石材充填後のふとん篭４０を吊り上げて前記篭収容部２から取り出す際に、該ふとん篭４０と前記支柱３，４との間の摩擦抵抗が小さくなるため、該防護装置１Ａからのふとん篭４０の取り出しを円滑に行うことができる。
しかも、ふとん篭４０への石詰め状況を外部から見ることができるため、石材をむらなく均等に充填することができる。
【００４６】
前記防護装置１Ａは、一部の部品を増減したり交換したりすることにより、ふとん篭の大きさに合わせて篭収容部の大きさを変更することができる。図１１に示す第２実施形態の防護装置１Ｂは、前記第１実施形態の防護装置１Ａにおいて、１組の支柱連結体１２と、該支柱連結体１２の左右何れか一方に連結される第１フレーム部材３０ａ，３１ａ、第２フレーム部材３０ｂ，３１ｂ、及び分割片３７ａとを減らすと共に、床材２１及び篭支持バー９を短いものに交換することにより、前記篭収容部２の長さを小さくし、小さいサイズのふとん篭４０に対応できるようにしている。
この第２実施形態の前記以外の構成は、前記第１実施形態と実質的に同じであるから、両者の主要な同一構成部分に第１実施形態の場合と同一の符号を付し、その説明は省略する。
【符号の説明】
【００４７】
１Ａ，１Ｂ  防護装置
２        篭収容部
３        支柱（長辺部支柱）
３ａ      傾斜面
４        支柱（短辺部支柱）
７        摩擦低減部材
９        篭支持バー
１１      サポート部材
４０      ふとん篭
４１      底網
４２ａ    前側網
４２ｂ    後側網
４３ａ    左側網
４３ｂ    右側網
４４ａ，４４ｂ  蓋網
【図１】
2019027085.tif 000003
【図２】
2019027085.tif 000004
【図３】
2019027085.tif 000005
【図４】
2019027085.tif 000006
【図５】
2019027085.tif 000007
【図６】
2019027085.tif 000008
【図７】
2019027085.tif 000009
【図８】
2019027085.tif 000010
【図９】
2019027085.tif 000011
【図１０】
2019027085.tif 000012
【図１１】
2019027085.tif 000013